(57)【要約】【課題】製造コストの低廉化及び省スペース化を達成可能なドラムユニット及びこれを搭載した画像形成装置を提供する。【解決手段】その駆動によって画像形成面(76)に潜像を形成し、潜像がトナーで現像されてトナー像を形成し、転写位置にてトナー像を媒体(12)に転写するドラムユニット(17)であって、画像形成面よりも外側の非画像形成面(78)にて、現像器側との隙間を設定する規制部(26)に当接される感光体ドラム(18)と、非画像形成面に対峙しており、感光体ドラムの回転方向で視て転写位置の下流側にてユニットに設置され、その長手方向が媒体の移動方向に沿って延びた板ばね部材(60)と、板ばね部材にカシメにより固定されており、非画像形成面に付着したトナーを落とすブレード部(70)とを具備する。【選択図】図６
2010256830.tif 000002
【特許請求の範囲】
【請求項１】
その駆動によって画像形成面に潜像を形成し、該潜像がトナーで現像されてトナー像を形成し、転写位置にて該トナー像を媒体に転写するドラムユニットであって、
前記画像形成面よりも外側の非画像形成面にて、現像器側との隙間を設定する規制部に当接される感光体ドラムと、
前記非画像形成面に対峙しており、前記感光体ドラムの回転方向で視て前記転写位置の下流側にて前記ユニットに設置され、その長手方向が前記媒体の移動方向に沿って延びた板ばね部材と、
該板ばね部材にカシメにより固定されており、前記非画像形成面に付着したトナーを落とすブレード部と
を具備することを特徴とするドラムユニット。
【請求項２】
請求項１に記載のドラムユニットであって、
前記板ばね部材は、前記ブレード部の両側面を把持する把持部と、該把持部の先端にそれぞれ配置されて対峙した先細り形状の爪部とを備え、前記把持部及び前記爪部を前記ブレード部に食い込ませることを特徴とするドラムユニット。
【請求項３】
請求項２に記載のドラムユニットであって、
前記把持部及び前記爪部は、前記ブレード部を保持しつつ、前記非画像形成面から離間した位置にて前記板ばね部材に備えられてことを特徴とするドラムユニット。
【請求項４】
請求項１から３のいずれか一項に記載のドラムユニットであって、
前記板ばね部材は、ステンレス製であり、前記ブレード部は、ポリウレタンゴム製であることを特徴とするドラムユニット。
【請求項５】
請求項１から４のいずれか一項に記載のドラムユニットであって、
前記感光体ドラムは、前記画像形成面に非晶質シリコン系の層を有した感光体ドラムであることを特徴とするドラムユニット。
【請求項６】
請求項１から５のいずれか一項に記載のドラムユニットを搭載したことを特徴とする画像形成装置。
【発明の詳細な説明】
【技術分野】
【０００１】
本発明は、トナー像を媒体に出力するドラムユニット及びこれを搭載した画像形成装置に関するものである。
【背景技術】
【０００２】
この種の画像形成装置では電子写真方式が用いられており、帯電器が感光体ドラムを予め帯電し、露光器がドラムの画像形成面に光を照射すると、この画像形成面には静電潜像が形成される。また、現像器はトナーを担持しており、このトナーが静電潜像に付着してトナー像が形成される。そして、このトナー像が用紙に転写及び定着される。
【０００３】
ここで、画像形成装置で次回のトナー像を用紙に転写するためには、前回の転写後に画像形成面を清掃し、残留したトナーを画像形成面から除去する必要がある。
具体的には、感光体ドラムの回転方向で視て媒体との転写位置の下流側には、クリーニングブレードが設けられており、当該ブレードが画像形成面に当接すると、残留したトナーが画像形成面から除去可能になる（例えば、特許文献１参照）。また、この種のクリーニングブレードは現像器にも適用可能である（例えば、特許文献２参照）。
【先行技術文献】
【特許文献】
【０００４】
【特許文献１】特開平９−２５８６２４号公報
【特許文献２】特開平８−１３７２４８号公報
【発明の概要】
【発明が解決しようとする課題】
【０００５】
しかしながら、仮に上記従来の各技術を組み合わせてみても、製造コストの低廉化や省スペース化が困難である。
詳しくは、上記技術のクリーニングブレードは、金属製等の支持部材とゴム製のブレードとで構成されているが、特許文献１によれば、これらの固定には両面テープや瞬間接着剤を用いており、固定までに所定の放置時間やブレードの固定強度の管理を要するからである。なお、これら支持部材とブレードとを熱溶着によって固定する場合にも、やはり予備加熱等の作業期間が別途必要になる。
【０００６】
一方、特許文献２によれば、これらの固定にはビスやスペーサなどが別途必要になって部品点数が増えるし、また、当該構成は、ローラの上方から下方に向けて配置されているため、ユニットの大型化を招く。
さらに、感光体ドラムのうち画像形成面よりも外側には、幅狭の非画像形成面があり、この狭い領域にもトナーが付着する。しかし、当該領域のトナーは幅広の画像形成面の残留トナーとは性質が異なっており、上述したクリーニングブレードを単に利用できず、何等かの措置が別途必要になる。
【０００７】
そこで、本発明の目的は、上記課題を解消し、製造コストの低廉化及び省スペース化を達成可能なドラムユニット及びこれを搭載した画像形成装置を提供することである。
【課題を解決するための手段】
【０００８】
上記目的を達成するための第１の発明は、その駆動によって画像形成面に潜像を形成し、潜像がトナーで現像されてトナー像を形成し、転写位置にて該トナー像を媒体に転写するドラムユニットであって、画像形成面よりも外側の非画像形成面にて、現像器側との隙間を設定する規制部に当接される感光体ドラムと、非画像形成面に対峙しており、感光体ドラムの回転方向で視て転写位置の下流側にてユニットに設置され、その長手方向が媒体の移動方向に沿って延びた板ばね部材と、板ばね部材にカシメにより固定されており、非画像形成面に付着したトナーを落とすブレード部とを具備する。
【０００９】
第１の発明によれば、ドラムユニットの感光体ドラムでは、画像形成面に潜像を形成し、この潜像がトナーで現像されてトナー像を形成するが、この画像形成面よりも外側の非画像形成面は規制部に当接され、現像器側との隙間が設定されている。そして、転写位置にてトナー像を媒体に転写する。
ここで、この非画像形成面には現像器側からのトナーが飛散して付着することがあり、規制部と感光体ドラムとの間に飛散したトナーが入り込んで、現像器と感光体ドラムとの隙間が設定値よりも大きくなってしまう。そのため、この非画像形成面を清掃する必要がある。
【００１０】
そこで、ブレード部が非画像形成面に付着したトナーを落とすものの、このブレード部は、非画像形成面に対峙した板ばね部材にカシメにより固定されているので、熱溶着等によって接着させた従来に比して製造工数が少なくて済むし、ブレード部の固定強度の管理もカシメ状態の寸法管理で済み、製造コストの低廉化を達成可能になる。
【００１１】
しかも、この板ばね部材は、その長手方向が、感光体ドラムの回転方向で視て転写位置の下流側にて、媒体の移動方向に沿って延びているため、従来に比して転写位置の周囲のスペースも少なくて済む。さらに、ブレード部をカウンタ方向で非画像形成面に当接させるため、非画像形成面に付着したトナーを確実に落とすことができる。
【００１２】
第２の発明は、第１の発明の構成において、板ばね部材は、ブレード部の両側面を把持する把持部と、把持部の先端にそれぞれ配置されて対峙した先細り形状の爪部とを備え、把持部及び爪部をブレード部に食い込ませることを特徴とする。
第２の発明によれば、第１の発明の作用に加えてさらに、板ばね部材が先細り形状の爪部を備えていれば、ブレード部を固定し易いし、また、把持部や爪部の双方をブレード部に食い込ませれば、非画像形成面からの反力が作用するブレード部を確実に固定することができる。
【００１３】
第３の発明は、第２の発明の構成において、把持部及び爪部は、ブレード部を保持しつつ、非画像形成面から離間した位置にて板ばね部材に備えられてことを特徴とする。
第３の発明によれば、第２の発明の作用に加えてさらに、把持部や爪部が、ブレード部を固定しつつ、非画像形成面から遠い位置に設けられると、板ばね部材との接触によるドラムの損傷との懸念もない。
【００１４】
第４の発明は、第１から第３の発明の構成において、板ばね部材は、ステンレス製であり、ブレード部は、ポリウレタンゴム製であることを特徴とする。
第４の発明によれば、第１から第３の発明の作用に加えてさらに、板ばね部材がステンレス製であれば、その撓りを利用でき、また、ブレード部がポリウレタンゴム製であれば、非画像形成面に付着したトナーを確実に落とせる。
【００１５】
第５の発明は、第１から第４の発明の構成において、感光体ドラムは、画像形成面に非晶質シリコン系の層を有した感光体ドラムであることを特徴とする。
第５の発明によれば、第１から第４の発明の作用に加えてさらに、非晶質シリコン系の層を有した感光体ドラムは長寿命であるとの長所を有するが、上記板ばね部材及びブレード部によれば、この感光体ドラムの特性を長期間に亘って維持可能になり、この長所を確実に活かすことができる。
第６の発明は、第１から第５の発明のドラムユニットを搭載した画像形成装置であることを特徴とする。
【００１６】
第６の発明によれば、第１から第５の発明の作用に加えてさらに、上述したドラムユニットを搭載すれば、製造コストの低廉化及び省スペース化を図れるので、画像形成装置の製造コストの低廉化及び小型化にも寄与する。
【発明の効果】
【００１７】
本発明によれば、画像形成面の外側に位置する非画像形成面では、ブレード部が略水平方向に延びた板ばね部材でカシメ固定されているため、製造コストの低廉化及び省スペース化の双方を達成可能なドラムユニット及びこれを搭載した画像形成装置を提供することができる。
【図面の簡単な説明】
【００１８】
【図１】本実施例のプリンタの概略構成図である。
【図２】図１のドラムユニットの外観斜視図である。
【図３】図２のＩＩＩ−ＩＩＩ線から視た矢視断面図である。
【図４】図３の現像器と感光体ドラムとの位置説明図である。
【図５】図２の両端用クリーニングブレード周辺の拡大図である。
【図６】図２の両端用クリーニングブレードの斜視図であり、（ａ）はそのカシメ前の状態を、（ｂ）はカシメ後の状態を示す図である。
【図７】図６（ｂ）のＶＩＩ−ＶＩＩ線から視た矢視断面図である。
【発明を実施するための形態】
【００１９】
以下、本発明の好適な実施の形態を図面に基づいて説明する。
図１には、画像形成装置の一例であるカラー印刷可能なプリンタ１の構造が概略的に示されている。同図に示された断面はプリンタ１の左側面からみたものである。このため、プリンタ１の前面は同図中の右側に、背面は左側にそれぞれ位置する。
【００２０】
同図に示されるように、プリンタ１の装置本体２の上方には排紙トレイ３６が設けられ、このトレイ３６の近傍には、使用者の各種操作に供される複数の操作キーや、各種情報を表示する画面を配置したフロントカバー５が設けられている。
また、この装置本体２の下方には給紙カセット４が配置され、その収容部４０には、枚葉の用紙が積層された状態で収納されている。同図で視て収容部４０の右上方にはローラ４６が設けられる。
【００２１】
そして、用紙は、同図においてカセット４の右上方に向けて送出され、この送出された用紙は、装置本体２の内部でプリンタ１の前面に沿って上方に向けて搬送される。
また、カセット４は、プリンタ１の前面側、つまり、図１において右方向に向けて引き出し可能に構成されており、この引き出した状態にて、カセット４内に新たな用紙を補充したり、用紙を別の種類の用紙に入れ替え可能となる。
【００２２】
装置本体２の内部には、カセット４からの用紙搬送方向で見て下流側に搬送ローラ１０、レジストローラ１４、画像形成部１６及び転写部３０が順番に配置されている。
画像形成部１６には４個のドラムユニット１７が並設され、各ユニット１７には感光体ドラム１８がそれぞれ設けられている（図２）。このドラム１８は回転自在に設置され、図示しない駆動モータによって図１の時計回りにそれぞれ駆動する。また、本実施例のドラム１８は、その表面に非晶質シリコン系の層を有したａ−Ｓｉドラムである。
【００２３】
また、このドラム１８とカセット４との間には露光器１５が備えられており、この露光器１５からは、レーザ光が各ドラム１８に向けてそれぞれ照射される（図１，３）。そして、これら図１，３にも示されるように、各ドラム１８の周囲の適宜位置には、帯電器２０、現像器２４、中間転写ローラ１３やクリーニング部５０がそれぞれ設けられている。なお、この図３では構造の説明上、ドラムユニット１７の他、中間転写ベルト（媒体）１２や現像器２４も示されている。
【００２４】
この帯電器２０は、ドラム１８に接する帯電ローラ２１、及びローラ２１の表面を研磨摺擦することによりクリーニングするブラシを備えたローラ２２を有し、図２に示されたユニット１７のハウジング４７の下部に位置し、ドラム１８の画像形成面７６を一様に帯電させる。
また、図３で視て、現像器２４はユニット１７の左方にそれぞれ配置され、現像ローラ２５を有している。この現像ローラ２５は図示しない駆動モータによって同図の反時計回りに駆動する。
【００２５】
再び図１に戻り、中間転写ベルト１２は各ドラム１８の上方に配置され、この転写ベルト１２とトレイ３６との間には４個のトナーコンテナ２３が配設されている。これら各コンテナ２３は、プリンタ１の背面側から前面側に向けて、マゼンタ用、シアン用、イエロー用、そして、ブラック用の順に配設され、このブラック用のコンテナの容量が最も大きく構成されている。
【００２６】
転写部３０には転写ローラ３１が備えられ、このローラ３１は中間転写ベルト１２に対して斜め下方から圧接可能に構成されている。
そして、これらベルト１２とローラ３１とは、４個の各トナーコンテナ２３から供給されたトナーを用い、トナー像を用紙に転写するためのニップ部を形成させる。
【００２７】
また、用紙搬送方向で見て転写部３０の下流側には、定着部３２、排出分岐部３４及びトレイ３６が順番に配置されている。
本実施例では、転写部３０と手差しトレイ３との間に両面印刷ユニット３８が形成されている。このユニット３８は、排出分岐部３４から装置本体２の前面側で分岐して下方に向けて延び、レジストローラ１４の上流側に連結している。
【００２８】
ここで、本実施例のクリーニング部５０は、図３に示されるように、ドラム１８の回転方向で視て中間転写ローラ１３との転写位置の下流側にて、画像領域用クリーニングブレード５２、摺擦ローラ５６、両端用クリーニングブレード５８やトナー回収部８０を有する。
このローラ５６は、図示しない駆動モータによって同図の反時計回りに駆動し、トナー像が転写された後の画像形成面７６をトレール方向で摺擦研磨する。
【００２９】
これにより、このローラ５６は、画像形成面７６の非晶質シリコン系の層に付着する残留トナーなどを除去する。
画像領域用クリーニングブレード５２は、ハウジング４７に固定される亜鉛鋼板の本体や、この本体に熱溶着されたポリウレタンゴム製のブレード部からなり、ドラム１８の回転方向で視てローラ５６の下流側にて、ドラム１８の回転軸線に沿って配置されており（図３，４）、このブレード部がカウンタ方向で接し、画像形成面７６に付着した残留トナーなどを掻き取っている。なお、この図４では摺擦ローラ５６やトナー回収部８０の図示を省略している。
【００３０】
これら画像領域用クリーニングブレード５２や摺擦ローラ５６によって画像形成面７６から掻き取られた残留トナーは、トナー回収部８０のケーシング８１に溜まり（図３）、ドラム１８の回転軸線方向に沿って延びたスクリュー８８によって搬送され、図示しない回収容器に集められる。
なお、画像領域用クリーニングブレード５２の長手方向の両側には、フェルトやスポンジのサイドシール部材７４がそれぞれ設けられており（図３，４）、このブレード５２の掻き取りによって飛散した残留トナーを吸着している。
【００３１】
ところで、上述した画像形成面７６は、図３の中間転写ベルト１２側から視ると、図４にて矢印で示された領域であり、その外側には非画像形成面７８，７８がドラム１８の全周に亘って存在し、上記のサイドシール部材７４は非画像形成面７８に対峙している。
一方、この図４に示されるように、現像ローラ２５とドラム１８とのギャップは、この現像ローラ２５に設けられ、ドラム１８に連れ回るギャップ規制コロ（規制部）２６と非画像形成面７８との接触によって設定される。
【００３２】
つまり、非画像形成面７８のうち図４に点線で示された領域は、規制コロ２６に接する箇所になり、当該箇所にもトナーを付着させないための工夫が必要になる。
そこで、本実施例では両端用クリーニングブレード５８，５８を設け、非画像形成面７８，７８に付着したトナーをそれぞれ掻き取っている。
【００３３】
具体的には、現像器２４から視て左側に位置する両端用クリーニングブレード５８を示した図５の如く、まず、ハウジング４７には、ケーシング８１の両端付近から水平方向に延びた板状の支持部４８が形成され、これらケーシング８１と支持部４８との境界部分には、垂直方向に延びてからドラム１８から離間するように延びた逆Ｌ字状の突起部４９が形成されている。
【００３４】
一方、この図５の他、現像器２４から視て右側に位置する両端用クリーニングブレード５８を示した図６のように、本実施例の両端用クリーニングブレード５８は、板ばね材として使用され、その厚みが約０．２ｍｍ程度のステンレス製のホルダー（板ばね部材）６０と、ポリウレタンゴム製のブレード部７０と、断面コ字状の係止金具７５とで構成されている（図５）。
【００３５】
ホルダー６０は、根元部６１、可撓部６３、及び先端部６４からなり、その長手方向が中間転写ベルト１２の移動方向（言い換えれば用紙の移動方向）に沿って延び、根元部６１の下面は図５の支持部４８の上面に対峙している。また、図６で視て根元部６１の奥端には、支持部４８の後端面に当接する位置決め片６２が設けられる。
可撓部６３は、この位置決め片６２とは反対側の位置で根元部６１に連なり、この根元部６１の幅よりも狭い幅で形成される。
【００３６】
また、この可撓部６３は、逆Ｌ字状の突起部４９を受容可能であり、可撓部６３より幅広で根元部６１と同程度の幅を有する先端部６４に連なっている。
この先端部６４には、ブレード部７０が取り付けられる。詳しくは、本実施例のブレード部７０は直方体状に形成され、非画像形成面７８に接する先端７３を有し、この先端７３は後端７１に対峙しており、これら先端７３と後端７１とは側面７２，７２で連なる。
【００３７】
ここで、ホルダー６０の先端部６４は、ブレード部７０の先端７３ではなく、後端７１の近傍位置にて側面７２，７２を把持する把持部６５，６５をそれぞれ有し、この把持部６５には先細り形状の爪部６６，６６が形成されている。これら把持部６５は先端部６４の長手方向面に対して予め曲げられ、また、爪部６６も把持部６５に対して予め曲げられている。
【００３８】
そして、図６（ａ）に示されるように、ブレード部７０を把持部６５の間に挿入して把持部６５の近傍に後端７１を配置するように位置を合わせ、把持部６５を先端部６４の長手方向面からブレード部７０に向けてさらに折り曲げる（同図（ｂ））。
次いで、爪部６６もまた把持部６５からブレード部７０に向けてさらに折り曲げて爪部６６，６６の先端を対峙させ、図７に示される如く、把持部６５や爪部６６はブレード部７０に食い込ませると、ブレード部７０は接着剤等を用いることなくカシメのみによりホルダー６０に固定される。
【００３９】
続いて、この両端用クリーニングブレード５８を、突起部４９の側面で可撓部６３の側面を案内するように、突起部４９の上方から下ろし、次いで、位置決め片６２が支持部４８に当接するまで図５の左方向に向けて移動させると、突起部４９と根元部６１とが係合する。
【００４０】
その後、係止金具７５を上方から下ろし、この係止金具７５で支持部４８と位置決め片６２とを係止すれば、ブレード部７０の先端７３が、ドラム１８の回転方向で視て上記転写位置よりも下流側の適宜位置にて、非画像形成面７８にカウンタ方向で接する。これにより、ブレード部７０は、非画像形成面７８に付着したトナーを掻き取ることができる。
【００４１】
上記ドラムユニット１７を搭載したプリンタ１が印刷を行う際は、カセット４からローラ４６により用紙が１枚ずつ分離して送出される。送出された用紙はレジストローラ１４に到達する。このローラ１４は、用紙の斜め送りを矯正しつつ、画像形成部１６で形成されるトナー画像との画像転写タイミングを計りながら、用紙を所定の給紙タイミングにて転写部３０へと送出する。
【００４２】
一方、各感光体ドラム１８に対しては、まず、各イレーサランプ１９が点灯し（図３）、帯電器２０がドラム１８の画像形成面７６をそれぞれ帯電する。次いで、露光器１５が画像形成面７６にレーザ光をそれぞれ照射すると、各画像形成面７６には静電潜像が作られ、この静電潜像から各色のトナー像が形成される。
【００４３】
各トナー画像は転写部３０にて用紙に転写される。なお、トナー像の形成時などに非画像形成面７８に飛散したトナーや、画像形成面７６に残留したトナーはクリーニング部５０で除去される。
その後、用紙は未定着トナー画像を担持した状態で定着部３２に向けて送られ、この定着部３２にて加熱及び加圧され、トナー像が定着される。次いで、定着部３２から送出された用紙は排出ローラ３５を介して排紙トレイ３６に排出され、高さ方向に積層される。
【００４４】
この片面印刷に対し、両面印刷を行う場合には、定着部３２から排出された用紙は、排出分岐部３４でその搬送方向が切り替えられる。つまり、片面に印刷された用紙は装置本体２内に引き戻され、両面印刷ユニット３８に搬送される。続いて、この用紙はレジストローラ１４の上流側に向けて送出され、転写部３０に向けて再び送られる。これにより、用紙の未だ印刷がされていない方の面にトナー像が転写される。
【００４５】
以上のように、本実施例によれば、ドラムユニット１７の感光体ドラム１８では、画像形成面７６に潜像を形成し、この潜像がトナーで現像されてトナー像を形成されるが、この画像形成面７６よりも外側の非画像形成面７８はギャップ規制コロ２６に当接され、現像ローラ２５とのギャップが設定されている。そして、転写位置にてトナー像を中間転写ベルト１２に転写する。
【００４６】
ここで、この非画像形成面７８には現像ローラ２５からのトナーが飛散して付着するし、また、画像形成面７６を画像領域用クリーニングブレード５２で清掃すると、残留トナーが非画像形成面７８に飛散し得ることがあり、このままでは、コロ２６とドラム１８との間に飛散したトナーが入り込んで、現像器２４とドラム１８とのギャップが設定値よりも大きくなり、濃度低下や濃度ムラを用紙に生じさせる。そのため、この非画像形成面７８を清掃する必要がある。
【００４７】
一方、非画像形成面７８は、画像形成面７６とは異なり、トナーを常時供給する箇所ではなく、画像領域用クリーニングブレード５２を単に非画像形成面７８にも延長すると、例えば濡れていないガラスをゴムのブレードで触れた場合と同様に、ブレード鳴きが生じ、ユニット１７の信頼性に影響を及ぼす。
そこで、両端用クリーニングブレード５８を別途設け、そのブレード部７０が非画像形成面７８に付着したトナーを掻き落とすものの、このブレード部７０は、非画像形成面７８に対峙したホルダー６０に接着剤等を用いることなくカシメにより固定されている。したがって、熱溶着等によって接着させた従来に比して放置期間等が不要になって製造工数が少なくて済み、ユニット１７の製造コストの低廉化を達成可能になる。
【００４８】
また、カシメのみのブレード部７０の固定強度は、このカシメ状態を寸法管理することで対応できるのに対し、接着剤を使用した場合は、作業工程の管理や引き剥がし試験が必要になり、手間がかかる。つまり、本実施例によれば、この点もユニット１７の製造コストの削減になる。
【００４９】
しかも、このホルダー６０は、その長手方向が、ドラム１８の回転方向で視て転写位置の下流側にて、中間転写ベルト１２の移動方向に沿って延びているため、転写位置の上方に配置させた従来に比して、転写位置の特に上側のスペースも少なくて済み、ユニット１７の省スペース化も達成できる。さらに、ブレード部７０をカウンタ方向で非画像形成面７８に当接させるため、非画像形成面７８に付着したトナーを確実に掻き落とすことができる。
【００５０】
また、ホルダー６０が先細り形状の爪部６６を備えていれば、ブレード部７０を固定し易いし、また、把持部６５や爪部６６の双方をブレード部７０に食い込ませれば、非画像形成面７８とブレード部７０の先端７３との接触によって生じた反力が作用するブレード部７０を確実に固定することができる。
さらに、把持部６５や爪部６６が、ブレード部７０を固定しつつ、非画像形成面７８から遠い位置に設けられると、ホルダー６０との接触によるドラム１８の損傷との懸念もない。
【００５１】
さらにまた、ホルダー６０がステンレス製であれば、その撓りを利用でき、また、ブレード部７０がポリウレタンゴム製であれば、非画像形成面７８に付着したトナーを確実に掻き落とせる他、画像形成面７６を清掃する画像領域用クリーニングブレード５２の材料とも一致する。よって、この点も製造コストの低廉化に寄与する。
【００５２】
また、ａ−Ｓｉドラムは長寿命であるとの長所を有するが、上記ホルダー６０及びブレード部７０によれば、この感光体ドラムの特性を長期間に亘って維持可能になり、この長所を確実に活かすことができる。
さらに、上述したドラムユニット１７を搭載すれば、製造コストの低廉化及び省スペース化を図れるので、プリンタ１の製造コストの低廉化及び小型化にも寄与する。
【００５３】
本発明は、上記実施例に限定されず、特許請求の範囲を逸脱しない範囲で種々の変更を行うことができる。
例えば、上記実施例では、トナー像が転写位置にて中間転写ベルトに転写しているものの、このトナー像は、転写位置で用紙に転写するものであっても良い。
【００５４】
また、この実施例では画像形成装置としてプリンタに具現化した例を示しているが、本発明の画像形成装置は、複合機、複写機やファクシミリ等にも当然に適用可能である。
そして、これらいずれの場合にも上記と同様に、製造コストの低廉化及び省スペース化を達成できるとの効果を奏する。
【符号の説明】
【００５５】
１  プリンタ（画像形成装置）
１２  中間転写ベルト（媒体）
１７  ドラムユニット
１８  感光体ドラム
２４  現像器
２５  現像ローラ
２６  ギャップ規制コロ（規制部）
４７  ハウジング
５０  クリーニング部
５８  両端用クリーニングブレード
６０  ホルダー（板ばね部材）
６５  把持部
６６  爪部
７０  ブレード部
７１  後端
７２  側面
７６  画像形成面
７８  非画像形成面
【図１】
2010256830.tif 000003
【図２】
2010256830.tif 000004
【図３】
2010256830.tif 000005
【図４】
2010256830.tif 000006
【図５】
2010256830.tif 000007
【図６】
2010256830.tif 000008
【図７】
2010256830.tif 000009